(57)【要約】【課題】装置の構成要素の数を減らして大きさを小さくできる光信号切替装置を得る。【解決手段】光信号切替装置１１は、光スイッチ素子１４がＮ行Ｍ列に整列して構成されたスイッチ本体部３０と、スイッチ本体部３０と入力端子１５との間に１列に配列された光スイッチ素子１４にて構成されモニタ状態のとき入力端子１５の入力の一部をモニタ光信号として分岐させる第１のモニタ部３１と、スイッチ本体部３０と出力端子１６との間に１列に配列された光スイッチ素子１４にて構成されモニタ状態のときスイッチ本体部３０の出力の一部をモニタ光信号として分岐させる第２のモニタ部３２と、第１のモニタ部３１と第２のモニタ部３２とがなすＬ字型の端部に設けられモニタ光信号の有無を検出する光信号検出手段１９と、Ｌ字型の角部に設けられモニタ光信号を光信号検出手段１９方向に反射する反射部３３とを備えている。【選択図】        図６
2006091557.tif 000002
【特許請求の範囲】
【請求項１】
透過状態及び反射状態の少なくとも２状態をとる光スイッチ素子がＮ行Ｍ列のマトリックス状に整列して構成されたスイッチ本体部と、
透過状態及びモニタ状態の少なくとも２状態をとる光スイッチ素子が前記スイッチ本体部と入力端子との間に１列に配列されて構成され、前記光スイッチ素子は夫々前記スイッチ本体部の１列目の前記光スイッチ素子に対応して設けられ、前記透過状態のとき前記入力端子からの光信号をスイッチ本体部側に透過するとともに、前記モニタ状態のとき前記入力端子からの光信号の一部をモニタ光信号として分岐させる第１のモニタ部と、
透過状態及びモニタ状態の少なくとも２状態をとる光スイッチ素子が前記スイッチ本体部と出力端子との間に１列に配列されて構成され、前記光スイッチ素子は夫々前記スイッチ本体部のＮ行目の前記光スイッチ素子に対応して設けられ、前記透過状態のとき前記スイッチ本体部からの光信号を出力端子側に透過するとともに、前記モニタ状態のとき前記スイッチ本体部からの光信号の一部をモニタ光信号として分岐させる第２のモニタ部と、
前記第１のモニタ部と前記第２のモニタ部とがなすＬ字型のいずれかの端部に設けられ前記モニタ光信号を入力し、該モニタ光信号の有無を検出する光信号検出手段と、
前記第１のモニタ部と前記第２のモニタ部とがなすＬ字型の角部に設けられた反射手段にて構成され、前記第１のモニタ部と前記第２のモニタ部のいずれかが出力した前記モニタ光信号を前記光信号検出手段方向に反射する反射部とを備えた
ことを特徴とする光信号切替装置。
【請求項２】
前記スイッチ本体部、前記第１のモニタ部及び前記第２のモニタ部を構成する前記光スイッチ素子と前記反射部を構成する前記反射手段とが、１つの樹脂材料上に形成された同種の光スイッチ素子である
ことを特徴とする請求項１に記載の光信号切替装置。
【請求項３】
前記反射手段が固定ミラーである
ことを特徴とする請求項１に記載の光信号切替装置。
【請求項４】
前記光信号検出手段が、前記１つの樹脂材料内に設けられている
ことを特徴とする請求項２に記載の光信号切替装置。
【請求項５】
前記光信号検出手段が、フォトダイオードである
ことを特徴とする請求項４に記載の光信号切替装置。
【請求項６】
前記スイッチ本体部を構成する前記光スイッチ素子が、前記透過状態及び前記反射状態のみの状態をとる
ことを特徴とする請求項１から５のいずれか１項に記載の光信号切替装置。
【請求項７】
前記第１のモニタ部及び前記第２のモニタ部を構成する前記光スイッチ素子が、前記透過状態及び前記モニタ状態のみの状態をとる
ことを特徴とする請求項１から６のいずれか１項に記載の光信号切替装置。
【請求項８】
前記反射部を構成する前記光スイッチ素子が、前記反射状態のみの状態をとる
ことを特徴とする請求項１から７のいずれか１項に記載の光信号切替装置。
【請求項９】
前記第１のモニタ部を構成する光スイッチ素子に夫々出力を接続された複数の２×１光スイッチと、該２×１光スイッチの一方の入力に夫々接続された複数の光源とをさらに備えた
ことを特徴とする請求項１から８のいずれか１項に記載の光信号切替装置。
【請求項１０】
前記第１のモニタ部を構成する光スイッチ素子に夫々出力を接続された複数の２×１光スイッチと、光源と、前記２×１光スイッチの一方の入力に夫々接続されそれぞれ前記光源からの光信号を前記２×１光スイッチ側に分岐させる
ことを特徴とする請求項１から８のいずれか１項に記載の光信号切替装置。
【発明の詳細な説明】
【技術分野】
【０００１】
本発明は、光通信に用いられる光信号切換装置に関するものである。
【背景技術】
【０００２】
図１２は従来の光信号切替装置の構成図である。光信号切替装置１１１は、５行６列のマトリックス状に整列して配置された全部で３０個の光スイッチ素子１４を有している。１列目の光スイッチ素子１４には、それぞれ入力端子１５が接続されている。また、６行目の光スイッチ素子１４には、それぞれ出力端子１６が接続されている。夫々の光スイッチ素子１４は、図示しない制御部からの制御信号によって動作し、それぞれオン（透過状態）とオフ（反射状態）との間で切り替わり、所定の入力端子１５から入力された光信号を所定の出力端子１６に出力する。
【０００３】
入力端子１５と出力端子１６には、それぞれ、光信号の一部をモニタ光信号として分岐させる光分波器５１と、光分波器５１が分岐させた光信号を検出する光信号検出器１９が設けられている。光分波器５１は、図示しない制御部からの信号によって動作し、モニタする入力端子１５或いは出力端子１６の光信号の一部をモニタ光信号として分岐させる。光信号検出器１９は、このモニタ光信号の有無を判断して、入出力信号のモニタリングを行う。ここで、光信号切替装置１１１は、例えば非特許文献１に記載されたポリマー導波路型光スイッチである。また、光分波器５１は、例えば非特許文献２に記載されたカプラ（分岐・結合器）である。
【０００４】
【非特許文献１】「電子情報通信学会綜合大会Ｃ−３−１２４、 Ｍａｒｃｈ ２００３ 跳ね橋型光スイッチにおける損失低減に関する検討」
【非特許文献２】「大越孝敬、伊澤達夫著光通信技術ｐ．７１〜７２、オーム社発行」
【発明の開示】
【発明が解決しようとする課題】
【０００５】
従来の光信号切替装置１１１は、上述のように構成されているので、入出力端子１５，１６毎に分岐用の光分波器５１と光信号検出器１９とを設けなければならない。そのため、スイッチ構成要素の数が多くなり、コストアップの原因となるばかりか、スイッチの大きさが大きくなってしまうという未解決の問題点を有している。
【０００６】
本発明は上述のような従来技術の問題点に鑑みてなされたもので、装置の構成要素の数を減らし、大きさを小さくできる光信号切替装置を提供することを目的とする。
【課題を解決するための手段】
【０００７】
上述した課題を解決し、目的を達成するために、本発明にかかる光信号切替装置は、透過状態及び反射状態の少なくとも２状態をとる光スイッチ素子がＮ行Ｍ列のマトリックス状に整列して構成されたスイッチ本体部と、透過状態及びモニタ状態の少なくとも２状態をとる光スイッチ素子が前記スイッチ本体部と入力端子との間に１列に配列されて構成され、前記光スイッチ素子は夫々前記スイッチ本体部の１列目の前記光スイッチ素子に対応して設けられ、前記透過状態のとき前記入力端子からの光信号をスイッチ本体部側に透過するとともに、前記モニタ状態のとき前記入力端子からの光信号の一部をモニタ光信号として分岐させる第１のモニタ部と、透過状態及びモニタ状態の少なくとも２状態をとる光スイッチ素子が前記スイッチ本体部と出力端子との間に１列に配列されて構成され、前記光スイッチ素子は夫々前記スイッチ本体部のＮ行目の前記光スイッチ素子に対応して設けられ、前記透過状態のとき前記スイッチ本体部からの光信号を出力端子側に透過するとともに、前記モニタ状態のとき前記スイッチ本体部からの光信号の一部をモニタ光信号として分岐させる第２のモニタ部と、前記第１のモニタ部と前記第２のモニタ部とがなすＬ字型のいずれかの端部に設けられ前記モニタ光信号を入力し、該モニタ光信号の有無を検出する光信号検出手段と、前記第１のモニタ部と前記第２のモニタ部とがなすＬ字型の角部に設けられた反射手段にて構成され、前記第１のモニタ部と前記第２のモニタ部のいずれかが出力した前記モニタ光信号を前記光信号検出手段方向に反射する反射部とを備えている。
【発明の効果】
【０００８】
この発明によれば、第１のモニタ部、第２のモニタ部及び反射部が、スイッチ本体部に入力する光信号及びスイッチ本体部から出力する光信号を１つの光信号検出手段に集約するので、光信号検出手段を１個とすることができ、装置の構成要素の数を減らし、大きさを小さくすることを可能とするという効果を奏する。
【発明を実施するための最良の形態】
【０００９】
以下に、本発明にかかる光信号切替装置の実施の形態を図面に基づいて詳細に説明する。なお、この実施の形態によりこの発明が限定されるものではない。
【００１０】
実施の形態１．
図１は本発明にかかる光信号切替装置の実施の形態１を示す正面図である。図２は図１の１個の素子の部分を拡大して示す図である。図３は本実施の形態の光信号切替装置の構造を模式的に示す斜視図である。図４−１は１個の素子の縦断面図であり、図４−２は図４−１の縦断面図において、素子の中央部が押し上げ棒によって押し上げられた様子を示す図である。
【００１１】
図１において、光信号切替装置である本実施の形態のポリマー導波路型光信号切替装置（以降、単に切替装置）１１は、概略矩形平板状の本体１２を有している。本体１２の内部には、光信号の光路として複数本の導波路１３が格子状に形成されている。導波路１３の交差する場所にそれぞれ跳ね橋型の光スイッチ素子１４（非特許文献１）が形成されている。本実施の形態の切替装置１１においては、６行７列に整列して設けられた全部で４２個の光スイッチ素子１４が形成されている。夫々の光スイッチ素子１４は、図２に示すように、交差点方向に向かう４本の導波路１３のうち、２本の導波路１３を入力としてそれぞれ第１の入力１３ａ及び第２の入力１３ｂとし、残る２本の導波路１３を出力としてそれぞれ第１の出力１３ｃ及び第２の出力１３ｄとしている。
【００１２】
図１において、第ｉ行（ｉは１〜６）に配置された光スイッチ素子１４の第２の出力１３ｄが、第ｉ＋１行に配置された光スイッチ素子１４の第１の入力１３ｂに接続され、また、第ｊ列（ｊは１〜７）に配置された光スイッチ素子１４の第１の出力１３ｃが、第ｊ＋１列に配置された光スイッチ素子１４の第２の入力１３ｂに接続されるように連結されている。なお、第１行に配置された７個の各光スイッチ素子１４の第１の入力、第１行第７列から第５行第７列に配置された５個の光スイッチ素子１４の第１の出力、及び第６行第１列に配置された１個の光スイッチ素子１４の第２の入力と第２の出力は、開放されている。
【００１３】
第１行第１列から第５行第１列に配置された５個の光スイッチ素子１４の第２の入力には、それぞれ入力端子１５が接続されている。第６行第２列から第６行第７列に配置された６個の光スイッチ素子１４の第２の出力には、それぞれ出力端子１６が接続されている。第６行第７列に配置された１個の光スイッチ素子１４の出力には、光ファイバ１８を介して光信号検出手段として外部に配設された光信号検出器１９が接続されている。
【００１４】
図３、図４−１及び図４−２において、切替装置１１の本体１２は、フッ素化ポリイミドの薄膜に導波路１３（入力１３ａ，１３ｂ及び出力１３ｃ，１３ｄ）が形成されてなるフッ素化ポリイミド導波路フィルム１２ａが、表面及び裏面に密着する２枚の押え板１２ｂ，１２ｂに挟まれて構成されている。押え板１２ｂ，１２ｂのそれぞれ光スイッチ素子１４に対応する部分には、円形の逃がし穴１２ｃが穿孔されている。そして、フィルム１２ａは、逃がし穴１２ｃ内にて露呈している。
【００１５】
光スイッチ素子１４は、導波路１３の交差点に４５°傾けて形成された切れ込み溝１４ａを有している。切れ込み溝１４ａは、フィルム１２ａの表面に例えば非常に鋭利な刃物によって切り込まれた溝である。
【００１６】
光スイッチ素子１４の切れ込み溝１４ａと反対の側に押し上げ棒２１が配設されている。押し上げ棒２１は、図示しないガイド手段により案内されて切れ込み溝１４ａの裏面に向かって進退動可能に支持されている。そして、押し上げ棒２１は、図示しない制御手段からの信号によって動作する図示しないピエゾアクチュエータによって切れ込み溝１４ａ方向に進退動する。
【００１７】
光スイッチ素子１４は、押し上げ棒２１によって操作されないとき、図３のＡ及び図４−１に示すように、切れ込み溝１４ａを閉じている。この状態では、交差点に集まる４本の導波路１３も互いに密着する。そのため、交差点に到達した光は、そのまま、直進して切れ込み溝１４ａを通り抜けてゆく。この状態は、後で述べる透過状態である。
【００１８】
光スイッチ素子１４は、下方に設けられた押し上げ棒２１に押し上げられて図３のＢ及び図４−２に示すように、切れ込み溝１４ａを広げる。この状態では、切れ込み溝１４ａを形成している対向面間に空気層が形成される。そのため、導波路を伝搬する光は、切れ込み対向面から出射することができず、空気層によって全反射して光の進行方向を９０°変えて伝搬してゆく。この状態は、後で述べる反射状態である。
【００１９】
光スイッチ素子１４は、押し上げ棒２１による押し上げられ方により、透過状態、反射状態及びモニタ状態の３つの状態に変化する。この３つの状態を図５−１、図５−２及び図５−３に示す。図５−１に示す透過状態では、図に示すように第２の入力１３ｂを第１の出力１３ｃに透過するとともに、図には示さないが第１の入力１３ａを第２の出力１３ｄに透過する。図５−２に示す反射状態では、図に示すように第２の入力１３ｂを第２の出力１３ｄに反射するとともに、図には示さないが第１の入力１３ａを第１の出力１３ｃに反射する。図５−３に示すモニタ状態では、図に示すように第２の入力１３ｂを第１の出力１３ｃに透過してさらにその一部を第２の出力１３ｄに反射するとともに、図には示さないが第１の入力１３ａを第２の出力１３ｄに透過してさらにその一部を第１の出力１３ｃに反射する。モニタ状態の透過／反射の割合としては、例えば、全体の９／１０を透過し、残る１／１０を反射する。尚、この割合は、調整により別の値に設定することも可能である。
【００２０】
図６は切替装置１１の構成をさらに詳しく説明する正面図である。図６において、６行７列に整列して設けられた４２個の光スイッチ素子１４は、機能的に以下のような構成に分類される。すなわち、第１行第２列、第１行第７列、第６行第２列、第６行第７列を頂点とする５行６列のマトリックス状に整列して設けられたスイッチ本体部３０と、スイッチ本体部３０と入力端子１５との間に１列に配列して設けられた第１のモニタ部３１と、スイッチ本体部３０と出力端子１６との間に１列に配列して設けられた第２のモニタ部３２と、第１のモニタ部３１及び第２のモニタ部３２とが形づくるＬ字型の角部に設けられた反射部３３とに分類される。
【００２１】
スイッチ本体部３０を構成する複数の光スイッチ素子１４は、図示しない制御手段からの信号によって夫々透過状態と反射状態の２つの状態をとり、所定の入力端子１５から入力された光信号を所定の出力端子１６に出力するマトリックススイッチ本来の機能の働きをする。
【００２２】
第１のモニタ部３１を構成する光スイッチ素子１４は、夫々スイッチ本体部３０の１列目の光スイッチ素子１４に１対１に対応して設けられ、透過状態とモニタ状態の２つの状態をとり、透過状態のとき入力端子１５からの光信号をスイッチ本体部３０側に透過するとともに、モニタ状態のとき入力端子１５から入力する光信号の一部をモニタ光信号として、光信号検出器１９側に出力する。
【００２３】
第２のモニタ部３２を構成する光スイッチ素子１４は、夫々スイッチ本体部３０の５行目の光スイッチ素子１４に１対１に対応して設けられ、第１のモニタ部３１と同じように、透過状態とモニタ状態のの２つの状態をとり、透過状態のときスイッチ本体部３０からの光信号を出力端子１６側に透過するとともに、モニタ状態のときスイッチ本体部３０から出力する光信号の一部をモニタ光信号として、光信号検出器１９側に出力する。
反射部３３を構成する反射手段としての光スイッチ素子１４は、常に反射状態をとり、第１のモニタ部３１のモニタ光信号を光信号検出器１９方向に反射する。
【００２４】
次に、動作を説明する。スイッチ本体部３０を構成する複数の光スイッチ素子１４は、図示しない制御手段からの信号によって夫々透過状態と反射状態の２つの状態をとり、所定の入力端子１５から入力された光信号を所定の出力端子１６に出力する。このとき、第１のモニタ部３１及び第２のモニタ部３２を構成する光スイッチ素子１４は、図示しない制御手段からの信号によって時分割されて、順次モニタ状態に切り替わる。すなわち、第１のモニタ部３１及び第２のモニタ部３２を構成する光スイッチ素子１４は、全て透過状態となっている状態から、例えばいちばん端に設けられたものから１個ずつ順番にモニタ状態に切り替わる。これにより、光信号検出器１９は、このモニタ光信号の有無を判断して、入出力信号のモニタリングを行うことができる。
【００２５】
尚、本実施の形態のスイッチ本体部３０は、光スイッチ素子１４が６行７列に配列されて構成されているが、６行７列に限られることはなく、マトリックス状に整列されていればよい。つまり、スイッチ本体部３０は、光スイッチ素子１４がＮ行Ｍ列に配列されて構成されていればよい。
【００２６】
また、本実施の形態の切れ込み溝１４ａは、例えば非常に鋭利な刃物によって切り込まれた切れ込み溝であるが、切れ込み溝１４ａは、所謂クリープによって形成されてもよい。さらに、本実施の形態においては、光信号検出器１９は、第１のモニタ部３１と第２のモニタ部３２とがなすＬ字型の第２のモニタ部３２側の端部に設けられているが、第１のモニタ部３１と第２のモニタ部３２と反射部３３との光スイッチ素子１４の向きを変えて、反対側であるＬ字型の第１のモニタ部３１側の端部に設けるようにしてもよい。
【００２７】
また、本実施の形態においては、光スイッチ素子１４は、全て、透過状態、反射状態及びモニタ状態の３つの状態をとるものであるが、スイッチ本体部３０を構成する光スイッチ素子１４については、透過状態及び反射状態のみの状態をとるものとしてもよい。そして、第１のモニタ部３１及び第２のモニタ部３２を構成する光スイッチ素子については、透過状態及びモニタ状態のみの状態をとるものとしてもよい。そしてさらに、反射部３３を構成する光スイッチ素子については、反射状態のみの状態をとるものとしてもよい。このように、それぞれ変化する状態が限られた光スイッチ素子とすることにより、誤って意図した状態と違う状態となってしまう可能性を少なくし、誤動作の原因を減らすことができるので、信頼性を向上させることができる。
【００２８】
以上のように、本実施の形態の切替装置１１は、まず、透過状態及び反射状態の少なくとも２状態をとる光スイッチ素子１４がＮ行Ｍ列のマトリックス状に整列して構成されたスイッチ本体部３０を有している。スイッチ本体部３０は、所定の入力端子１５から入力された光信号を、所定の出力端子１６に出力するマトリックススイッチ本来の機能の働きをする。
【００２９】
そして、光信号切替装置１１は、さらに第１のモニタ部３１と第２のモニタ部３２とを有している。第１のモニタ部３１は、透過状態及びモニタ状態の少なくとも２状態をとる光スイッチ素子１４がスイッチ本体部３０と入力端子との間に１列に配列されて構成され、光スイッチ素子１４は夫々スイッチ本体部３０の１列目の光スイッチ素子１４に対応して設けられ、透過状態のとき入力端子１５からの光信号をスイッチ本体部３０側に透過するとともに、モニタ状態のとき入力端子１５からの光信号の一部をモニタ光信号として分岐させる。
【００３０】
また、第２のモニタ部３２は、透過状態及びモニタ状態の少なくとも２状態をとる光スイッチ素子１４がスイッチ本体部３０と出力端子１６との間に１列に配列されて構成され、光スイッチ素子１４は夫々スイッチ本体部３０のＮ行目の光スイッチ素子１４に対応して設けられ、透過状態のときスイッチ本体部３０からの光信号を出力端子１６側に透過するとともに、モニタ状態のときスイッチ本体部３０からの光信号の一部をモニタ光信号として分岐させる。
【００３１】
さらに、光信号切替装置１１は、第２のモニタ部３２と、第１のモニタ部３１と第２のモニタ部３２とがなすＬ字型の第２のモニタ部３２側の端部に設けられ、モニタ光信号を入力し、モニタ光信号の有無を検出する光信号検出手段としての光信号検出器１９と、第１のモニタ部３１と第２のモニタ部３２とがなすＬ字型の角部に設けられた少なくとも反射状態をとる光スイッチ素子１４にて構成され、第１のモニタ部３１が出力したモニタ光信号を光信号検出器１９方向に反射する反射部３３とを有している。
【００３２】
そのため、第１のモニタ部３１、第２のモニタ部３２及び反射部３３が、スイッチ本体部３０に入力する光信号及びスイッチ本体部３０から出力する光信号を１つの光信号検出器１９に集約するので、光信号検出手段として光信号検出器１９を１個設ければよく、装置の構成要素の数を減らし、装置の大きさを小さくすることができる。
【００３３】
また、本実施の形態の切替装置１１においては、スイッチ本体部３０、第１のモニタ部３１、第２のモニタ部３２及び反射部３３を構成する光スイッチ素子１４が、すべて１つの樹脂材料上に形成された同種の跳ね橋型の光スイッチ素子である。そのため、異なる機能の素子をそれぞれ用意する方法に比べて、コストダウンを図ることができ、また、単一種類の光スイッチ素子１４にて作製されているので作製が容易である。
【００３４】
実施の形態２．
図７は本発明にかかる光信号切替装置の実施の形態２を示す正面図である。本実施の形態の切替装置１１においては、実施の形態１の光信号検出器１９に替わって、光信号検出手段としてフォトダイオード３５が設けられている。その他の構成は、実施の形態１と同様である。
【００３５】
フッ素化ポリイミドの薄膜に導波路１３が形成されてなるフッ素化ポリイミド導波路フィルム１２ａ（図３）が、表面及び裏面に密着する２枚の押え板１２ｂ，１２ｂに挟まれて構成された本体１２の端面に、フォトダイオード３５が固着されている。フォトダイオード３５は、自らの入力信号取り入れ口を導波路１３に一致させて固着されている。
【００３６】
以上のように、本実施の形態においては、光信号検出手段を外部に設けられていた光信号検出器１９に替わって、本体１２に直接固着された半導体素子にて構成したので、装置をさらに小型化することができる。
【００３７】
実施の形態３．
図８は本発明にかかる光信号切替装置の実施の形態３を示す正面図である。本実施の形態の切替装置１１においては、実施の形態２のフォトダイオード３５は、本体１２のフッ素化ポリイミド導波路フィルム１２ａ（図３）の内部に埋め込まれて配設されている。その他の構成は、実施の形態１と同様である。
【００３８】
以上のように、本実施の形態においては、フォトダイオード３５は、本体１２の内部に埋め込まれて配設されているので、装填の取り扱いが容易になるとともに、耐久性を向上させることができる。
【００３９】
実施の形態４．
図９は本発明にかかる光信号切替装置の実施の形態４を示す正面図である。本実施の形態の切替装置１１においては、反射部３３を構成する反射手段として光スイッチ素子１４に替わって、本体１２に固定された固定ミラー１７が設けられている。反射部３３を構成する光スイッチ素子１４は、常に反射状態をとるので鏡等で置き換えることができる。その他の構成は、実施の形態１と同様である。以上のように、本実施の形態においては、反射部３３が固定ミラー１７によって構成されているので、誤動作が無くなり信頼性を向上させることができる。
【００４０】
実施の形態５．
図１０は本発明にかかる光信号切替装置の実施の形態５を示す正面図である。本実施の形態の切替装置１１においては、実施の形態１のものに加えて、第１のモニタ部３１を構成する光スイッチ素子１４に夫々出力を接続された複数の２×１光スイッチ４１と、２×１光スイッチ４１の一方の入力に夫々接続された複数の光源４２とをさらに有している。
【００４１】
動作を説明する。光源４２から出力された光信号は、２×１光スイッチ４１を介して、入力端子１５に入力される。そのため、本来入力端子１５に入力される光信号の有無にかかわらず光信号を入力端子１５に入力することができる。そのため、全ての光スイッチ素子１４の動作を必要に応じていつでもすぐに確認することができる。
【００４２】
実施の形態６．
図１１は本発明にかかる光信号切替装置の実施の形態６を示す正面図である。本実施の形態の切替装置１１においては、実施の形態１のものに加えて、第１のモニタ部３１を構成する光スイッチ素子１４に夫々出力を接続された複数の２×１光スイッチ４１と、光源４２と、２×１光スイッチ４１の一方の入力に夫々接続され、それぞれ光源４２からの光信号を２×１光スイッチ側に分岐させる複数の光分波器４３とをさらに有している。
【００４３】
すなわち、実施の形態５の複数の光源４２に替わって、１個の光源４２と複数の光分波器４３とが設けられている。本実施の形態においては、実施の形態５と同様の動作ができるとともに、高価な構成要素である光源４２の数を減らすことができ、装置の大きさを小さくできるとともに、コストダウンを図ることができる。
【産業上の利用可能性】
【００４４】
例えば、近年のインターネットに代表される光通信の広範囲にわたって網羅された伝送路等に適用されて有効なものである。
【図面の簡単な説明】
【００４５】
【図１】本発明にかかる光信号切替装置の実施の形態１を示す正面図である。
【図２】図１の１個の素子の部分を拡大して示す図である。
【図３】実施の形態１の光信号切替装置の構造を模式的に示す斜視図である。
【図４−１】光スイッチ素子の切れ込み溝が閉じている様子を示す縦断面図である。
【図４−２】光スイッチ素子の中央部が押し上げ棒によって押し上げられ切れ込み溝が開いた様子を示す縦断面図である。
【図５−１】光スイッチ素子の透過状態において光信号の伝搬する方向を説明するための図である。
【図５−２】光スイッチ素子の反射状態において光信号の伝搬する方向を説明するための図である。
【図５−３】光スイッチ素子のモニタ状態において光信号の伝搬する方向を説明するための図である。
【図６】実施の形態１の光信号切替装置の構成をさらに詳しく説明するための正面図である。
【図７】本発明にかかる光信号切替装置の実施の形態２を示す正面図である。
【図８】本発明にかかる光信号切替装置の実施の形態３を示す正面図である。
【図９】本発明にかかる光信号切替装置の実施の形態４を示す正面図である。
【図１０】本発明にかかる光信号切替装置の実施の形態５を示す正面図である。
【図１１】本発明にかかる光信号切替装置の実施の形態６を示す正面図である。
【図１２】従来の光信号切替装置の構成図である。
【符号の説明】
【００４６】
１１    光信号切替装置
１２    本体
１２ａ  フッ素化ポリイミド導波路フィルム
１２ｂ  押え板
１２ｃ  逃がし穴
１３    導波路
１３ａ  第１の入力
１３ｂ  第２の入力
１３ｃ  第１の出力
１３ｄ  第２の出力
１４    光スイッチ素子
１４ａ  切れ込み溝
１６    出力端子
１７    固定ミラー（反射手段）
１８    光ファイバ
１９    光信号検出器（光信号検出手段）
２１    押し上げ棒
３０    スイッチ本体部
３１    第１のモニタ部
３２    第２のモニタ部
３３    反射部
３５    フォトダイオード（光信号検出手段）
４１    ２×１光スイッチ
４２    光源
４３    光分波器
【図１】
2006091557.tif 000003
【図２】
2006091557.tif 000004
【図３】
2006091557.tif 000005
【図４−１】
2006091557.tif 000006
【図４−２】
2006091557.tif 000007
【図５−１】
2006091557.tif 000008
【図５−２】
2006091557.tif 000009
【図５−３】
2006091557.tif 000010
【図６】
2006091557.tif 000011
【図７】
2006091557.tif 000012
【図８】
2006091557.tif 000013
【図９】
2006091557.tif 000014
【図１０】
2006091557.tif 000015
【図１１】
2006091557.tif 000016
【図１２】
2006091557.tif 000017